(57)【要約】【課題】ガラス側板により構成された冷蔵ショーケースに関し、商品収納スペ−スを狭くすることなくガラス側板に結露した結露水の処理を行う。【解決手段】ガラス側板８の下端を支持する上方へ向かって伸びるフランジ１１ａ、１１ｂからなる受水部１２を有した中空状のフレ−ム１１において、フレ−ム１１の上面に結露水の流入孔１１ｃを形成し、フレ−ム１１の庫内側壁面に最下段の商品陳列棚１０ａより下方の位置に庫内に結露水の流出孔１１ｄを形成しているので、結露水Ｗは商品陳列棚１０ａより下方の流出孔より流出されることから商品収納スペ−スを狭くすることなく結露水Ｗの流れを隠すことができる。【選択図】　図１
2004000372.tif 000002
【特許請求の範囲】
【請求項１】
ケース本体の側壁に嵌め込んだガラス側板と、前記ガラス側板の下端を支持し上方へ向かって伸びるフランジからなる受水部を上部に有した中空状のフレ−ムとから成り、前記受水部の底面に前記ガラス側板に結露した結露水を前記フレームの中空部に流入させる流入孔を形成し、前記フレ−ムの庫内側壁面の商品陳列棚より下方に結露水を流出させる流出孔を形成したことを特徴とする冷蔵ショーケース。
【請求項２】
受水部に全長に亘って凹部を設け、前記凹部の底面に流入孔を形成したことを特徴とする請求項１に記載の冷蔵ショーケース。
【請求項３】
受水部の底面を流入孔に向かって下向きに傾斜させたことを特徴とする請求項１または請求項２に記載の冷蔵ショーケース。
【請求項４】
フレーム内部に複数個の梁を設け、前記梁により流入孔より流入した結露水が前記フレ−ムの庫外側内壁に接することなく流出孔より流出する空間を形成したことを特徴とする請求項１から請求項３のいずれか一項に記載の冷蔵ショーケース。
【請求項５】
フレーム内部に設けた梁を流出孔下端より上方に向って傾斜させたことを特徴とする請求項４に記載の冷蔵ショーケース。
【請求項６】
フレーム内部に水平方向に高低差のある傾斜を有した梁を設け、流出孔下端に前記梁の低部が位置することを特徴とする請求項４または５に記載の冷蔵ショーケース。
【請求項７】
フレームの庫内側壁面において、流出孔の下部に流出孔下端より下方に向って傾斜した案内路を設けたことを特徴とする請求項１から６のいずれか一項に記載の冷蔵ショーケース。
【請求項８】
案内路両端に前記案内路より隆起した案内壁を設けたことを特徴とする請求項７に記載の冷蔵ショーケース。
【発明の詳細な説明】
【０００１】
【発明の属する技術分野】
本発明は、ケース本体の側壁にガラス側板を嵌め込んだ構成の冷蔵ショーケースに関するものである。
【０００２】
【従来の技術】
従来の冷蔵ショーケースとして、例えば特開平５−２４０５６号公報に示されるように庫内に陳列した商品をケースの横からも見えるようにするために、ケース本体の側壁に透視ガラスの側板を嵌め込んだ構成とされている。
【０００３】
以下、図面を参照しながら従来の冷蔵ショーケースについて説明する。
【０００４】
図１０は従来の冷蔵ショーケースの部分斜視図である。
【０００５】
図１０において、１は冷蔵ショーケース本体で２は庫内に設置した商品陳列棚、３は側方からの視認性を向上させるためのガラス側板で、下端を凹状のフレーム４にて支持されている。
【０００６】
以上のような構成において、庫内冷蔵時はガラス側板３が冷やされるため外面に結露が生じ、結露水としてフレーム４へ導き水抜き部５より庫内へ排水処理している。
【０００７】
【発明が解決しようとする課題】
しかしながら上記従来の構成では、ガラス側板３に結露した結露水がフレーム４の水抜き部５より庫内へ流れ落ちる際に、外観より見えることから見栄えが悪く、隠すためには商品陳列棚２を水抜き部５より上方に設置しなければならず、商品収納スペースが狭くなるという欠点を有していた。
【０００８】
本発明は従来の課題を解決するもので、商品収納スペースを狭くすることなくガラス側板に結露した結露水の処理を行うと共に、ガラス側板の小型化が可能な冷蔵ショーケースを提供するものである。
【０００９】
【課題を解決するための手段】
本発明の請求項１に記載の発明は、ケース本体の側壁に嵌め込んだガラス側板と、前記ガラス側板の下端を支持し上方へ向かって伸びるフランジからなる受水部を上部に有した中空状のフレ−ムとから成り、前記受水部の底面に前記ガラス側板に結露した結露水を前記フレームの中空部に流入させる流入孔を形成し、前記フレ−ムの庫内側壁面の商品陳列棚より下方に結露水を流出させる流出孔を形成したものであり、ガラス側板に結露した結露水はガラス面を伝わってフレ−ムの受水部に流れ込み、受水部の底面に形成した流入孔よりフレーム内の中空部に流入し、商品陳列棚より下方に形成した流出孔より庫内へ流出されることから商品収納スペースを狭くすることなく結露水の流れを隠すことができる。
【００１０】
請求項２に記載の発明は、請求項１に記載の発明にさらに、フレーム上面に全長に亘って凹部を設け、前記凹部底面に流入孔を形成しているものであり、凹部によりフレ−ム上面の強度が向上する。
【００１１】
請求項３に記載の発明は、請求項１または請求項２に記載の発明において、受水部の底面を流入孔に向かって下向きに傾斜させたものであり、受水部に流下した結露水は受水部に留まらず円滑に流入孔よりフレーム内の中空部に流入するので、受水部が経時的に汚れたり、不衛生になったりしにくい。
【００１２】
請求項４に記載の発明は、請求項１から請求項３のいずれか一項に記載の発明にさらに、フレーム内部に複数個の梁を設け、前記梁により流入孔より流入した結露水が前記フレームの庫外側内壁に接することなく流出孔より流出する空間を形成しているので、流入孔より流入した結露水は空間を通って流出孔より流出するため、フレ−ムの庫外側表面への伝熱作用が減少する。
【００１３】
請求項５に記載の発明は、請求項４に記載の発明にさらに、フレーム内部に設けた梁を流出孔下端より上方に向って傾斜させているので、ケース本体の上方を庫外側に傾斜して設置された場合でもフレーム内に結露水が溜まることはない。
【００１４】
請求項６に記載の発明は、請求項４または請求項５に記載の発明にさらに、フレーム内部に水平方向に高低差のある傾斜を有した梁を設け、流出孔下端に前記梁の低部が位置することにより、ケース本体の上方を前後方向に傾斜して設置された場合でもフレーム内に結露水が溜まることはない。
【００１５】
請求項７に記載の発明は、請求項１から請求項６のいずれか一項に記載の発明にさらに、フレームの庫内側外壁面に位置し、流出孔と相対する位置に流出孔下端より下方に向って傾斜した複数の案内路を設けているので流出孔より流出された結露水はフレームの壁面を伝うことなく案内路を通り庫内へ流出されるためフレ−ム下方が結露水により冷却されることがない。
【００１６】
請求項８に記載の発明は、請求項７に記載の発明にさらに、案内路両端に位置し前記案内路より隆起する案内壁を設けているため、ケ−ス本体を傾斜して設置された場合でも案内路の途中で結露水が零れ落ちることはない。
【００１７】
【発明の実施の形態】
以下、本発明による冷蔵ショーケースの実施の形態について、図面を参照しながら説明する。
【００１８】
（実施の形態１）
図１は、本発明の実施の形態１による冷蔵ショーケースの要部斜視図、図２は、同実施の形態の冷蔵ショーケースの要部断面図、図３は、同実施の形態の冷蔵ショーケースの斜視図である。
【００１９】
図１、図２、図３において、６は冷蔵ショーケース本体で、前後に開閉自在の扉７と左右の側壁に庫内透視用のガラス側板８とから構成されている。本体６の庫内には商品を展示する貯蔵室９が形成され、貯蔵室９内には複数の商品陳列棚１０が架設され商品展示に供される。ガラス側板８の下方には、ガラス側板８全幅にわたって中空状のフレ−ム１１が配設され、中空状のフレ−ム１１は、上部に上方へ向って伸びるフランジ１１ａ、１１ｂにより受水部１２を形成しガラス側板８の下端を嵌め込み式に支持している。
【００２０】
受水部１２の底面には受け部材１３が所定の間隔で配設され、ガラス側板８の底面とフレ−ム１１の上面との間に流路１４を形成している。また、フレ−ム１１は上面に複数の流入孔１１ｃが形成され、庫内側の壁面には最下段の商品陳列棚１０ａより下方に複数個の流出孔１１ｄが形成されている。流入孔１１ｃと流出孔１１ｄはフレーム１１の中空部１１ｅによって連通される。１５はガラス側板８の両端を全高にわたって支持する柱で、フレ−ム１１はこの柱１５に嵌め込みあるいはビス等により固定され、両端の接合部はシ−ル材にて防水シ−ル構造としている。
【００２１】
以上のように構成された冷蔵ショーケースにおいて、冷却装置（図示せず）が運転されると貯蔵室９内は冷却されるが、同時にガラス側板８も強力に冷却される事によりガラス側板８の外表面には結露が発生する。この結露水Ｗは、ガラス側板８の外表面を伝って流下し、やがてフレ−ム１１の受水部１２に流入する。このようにして受水部１２に受容された結露水Ｗは、やがてフレ−ム１１上面に形成した流入孔１１ｃからフレ−ム１１内の中空部１１ｅに流入し、流出孔１１ｄより流出し庫内ドレンパン１６に流下して排水処理される。
【００２２】
したがって、受水部１２に受容された結露水Ｗは流入孔１１ｃからフレ−ム１１内の中空部１１ｅを通って最下段の商品陳列棚１０ａより下方に位置する流出孔１１ｄから庫内ドレンパン１６に流下するため、商品陳列スペ−スを狭くすることなく結露水Ｗの流れを隠すことができる。また、フレ−ム１１の高さ寸法は自由に設定出来ることからデザインの自由度が向上するとともに、高価なガラス側板８の小型化ができ、さらに低コスト化が図れる。
【００２３】
なお、受水部１２の底面を流入孔１１ｃに向かって下向きに傾斜させるように形成すれば、ガラス側板８を伝って受水部１２に流下した結露水は、受水部１２に滞留することなく傾斜に沿って流入孔１１ｃに流れ込み、円滑にフレームの中空部１１ｅに流入するので、受水部１２に水が溜ることによって、経時的に水垢が生じて汚れたり、不衛生になったりすることが避けられる。
【００２４】
以上説明したように本実施の形態１の冷蔵ショーケースは、ケ−ス本体６の側壁に嵌め込んだガラス側板８と、ガラス側板８の下方に位置しガラス側板８の下端を支持する上方へ向かって伸びるフランジ１１ａ、１１ｂからなる受水部１２を有した中空状のフレ−ム１１とより成り、フレ−ム１１の上面にガラス側板８に結露した結露水Ｗを流入させる複数個の流入孔１１ｃを形成し、フレ−ム１１の庫内側壁面に最下段の商品陳列棚１０ａより下方に位置し庫内に結露水Ｗを流出させる複数個の流出孔１１ｄを形成しているので、ガラス側板８に結露した結露水Ｗはガラス面を伝わってフレ−ム１１の受水部１２に流れ込み、フレ−ム１１の上面に形成した複数個の流入孔１１ｃよりフレ−ム１１内の中空部１１ｅに流入し、最下段の商品陳列棚１０ａより下方に形成した複数個の流出孔１１ｄより庫内ドレンパン１６へ流下されることから商品収納スペ−スを狭くすることなく結露水Ｗの流れを隠すことができる。
【００２５】
また、フレ−ム１１の高さ寸法は自由に設定できることからデザインの自由度が向上するとともにガラス側板８の小型化でき、さらに低コスト化が図れる。
【００２６】
（実施の形態２）
図４は、本発明の実施の形態２による冷蔵ショーケースの要部斜視図である。
【００２７】
図４において、フレ−ム１１上面に全長にわたって凹部１７を形成し、凹部１７の底面に流入孔１１ｃを形成している。
【００２８】
本実施の形態は、実施の形態１による冷蔵ショーケースに、さらにフレ−ム１１上面に全長にわたって凹部１７を形成し、凹部１７の底面に流入孔１１ｃを形成したものである。
【００２９】
以上のように構成された冷蔵ショーケースにおいて、受水部１２に受容された結露水Ｗは流路１４を通って凹部１７に流れ込み、流入孔１１ｃからフレ−ム１１内の中空部１１ｅに流入し、流出孔１１ｄより流出し庫内ドレンパン１６に流下して排水処理される。
【００３０】
したがって、凹部１７により結露水Ｗの流れを妨げること無くフレ−ム上面の強度補強が実現できる。
【００３１】
以上説明したように本実施の形態２の冷蔵ショーケースは、フレーム１１上面に全長に亘って凹部１７を設け、凹部１７底面に複数個の流入孔１１ｃを形成しているので、凹部１７によりフレ−ム１１上面の強度が向上し、ガラス側板８という重量物を載せてもフレ−ム１１上面が変形したり腰折れすることはない。
【００３２】
（実施の形態３）
図５は、本発明の実施の形態３による冷蔵ショーケースの要部斜視図である。
【００３３】
図５において、フレーム１１内部に全長に亘って伸びる鉛直方向の梁１８ａと、水平方向に伸びる梁１８ｂを設け、庫外側に隣接する空間１９ａ，庫内側に隣接する空間１９ｂ、フレ−ム１１底面に内接する空間１９ｃを形成している。また、空間１９ｂの上方には凹部１７と連通する流入孔１１ｃを全長に亘って複数個穿設し、下方には庫内に連通する流出孔１１ｄを全長に亘って複数個穿設している。
【００３４】
本実施の形態は、実施の形態２による冷蔵ショーケースに、さらにフレーム１１内部に全長に亘って伸びる鉛直方向の梁１８ａと、水平方向に伸びる梁１８ｂを設け、庫外側に隣接する空間１９ａ，庫内側に隣接する空間１９ｂ、フレーム１１底面に内接する空間１９ｃを形成している。また、空間１９ｂの上方には凹部１７と連通する流入孔１１ｃを全長に亘って複数個穿設し、下方には庫内に連通する流出孔１１ｄを全長に亘って複数個穿設したものである。
【００３５】
以上のように構成された冷蔵ショーケースについて、以下その動作を説明する。
【００３６】
受水部１２に受容された結露水Ｗは流路１４を通って凹部１７に流れ込み、凹部１７に設けられた流入孔１１ｃから空間１９ｂに流入し、流出孔１１ｄより流出し庫内ドレンパン１６に流下して排水処理される。
【００３７】
したがって、フレ−ム１１の内部に設けた空間１９ａによる庫外との断熱効果と、空間１９ｃによるフレーム底面との断熱効果により、庫内側と庫外側が結露水Ｗを介して伝熱されることがなくなり、フレ−ム１１の庫外側面の温度低下が少なくなり、フレ−ム１１の庫外側面の発汗を抑えることができる。
【００３８】
以上説明したように本実施の形態３の冷蔵ショーケースは、フレーム１１内部に全長に亘って伸びる鉛直方向の梁１８ａと、水平方向に伸びる梁１８ｂを設け、庫外側に隣接する空間１９ａ，庫内側に隣接する空間１９ｂ、フレ−ム１１底面に内接する空間１９ｃを形成している。また、空間１９ｂの上方には凹部１７と連通する流入孔１１ｃを全長に亘って複数個穿設し、下方には庫内に連通する流出孔１１ｄを全長に亘って複数個穿設しており、結露水Ｗを介してフレ−ム１１の庫内側と庫外側を伝熱しないようにしたので、フレ−ム１１の庫外側面の発汗を抑えることができる。
【００３９】
（実施の形態４）
図６は、本発明の実施の形態４による冷蔵ショーケースの要部斜視図である。
【００４０】
図６において、フレーム１１内部に全長に亘って設けた水平方向に伸びる梁１８ｃを流出孔１１ｄ下端より上方に向って傾斜させて形成している。
【００４１】
本実施の形態は、実施の形態３による冷蔵ショーケースにおいて、水平方向に設けた梁１８ｂについて梁１８ａの下部より流出孔１１ｄ下端向って傾斜させて梁１８ｃを形成したものである。
【００４２】
以上のように構成された冷蔵ショーケースにおいて、受水部１２に受容された結露水Ｗは流路１４を通って凹部１７に流れ込み、凹部１７に設けられた流入孔１１ｃから空間１９ｂに流入し、梁１８ｂの傾斜に沿って流出孔１１ｄより流出し庫内ドレンパン１６に流下して排水処理される。
したがって、梁１８ｃの傾斜により結露水Ｗが空間１９ｂ内に溜まることがなくなり、結露水の滞留によるフレ−ム１１の温度低下が少なくなり発汗を抑えることができる。
【００４３】
以上説明したように本実施の形態４の冷蔵ショーケースは、水平方向に伸びる梁１８ｃを流出孔１１ｄ下端より上方に向って傾斜させて形成しているので、ケ−ス本体６の水平設置時は言うまでもなく、上方を庫外側に傾斜して設置された場合でも空間１９ｂ内に結露水Ｗが溜まらないようにしたので、フレ−ム１１の温度低下が少なくなり発汗を抑えることができる。
【００４４】
（実施の形態５）
図７は、本発明の実施の形態５による冷蔵ショーケースの要部斜視図である。
【００４５】
図７において、梁１８ｄはジグザグ状に高低差のある傾斜を有した梁で、フレーム１１内に形成されている。
【００４６】
本実施の形態は、実施の形態３による冷蔵ショーケースにおいて、水平方向に設けた梁１８ｂについて、
複数の流出孔１１ｄに向かって結露水が集まるように、高低差の傾斜を持たせた梁１８ｄを形成したものである。
【００４７】
以上のように構成された冷蔵ショーケースにおいて、受水部１２に受容された結露水Ｗは流路１４を通って凹部１７に流れ込み、凹部１７に設けられた流入孔１１ｃから空間１９ｂに流入し、梁１８ｄの傾斜に沿って流出孔１１ｄより流出し庫内ドレンパン１６に流下して排水処理される。
したがって、梁１８ｄの傾斜により結露水Ｗが空間１９ｂ内に溜まることがなくなり、結露水Ｗの滞留によるフレ−ム１１の温度低下が少なくなり発汗を抑えることができる。
【００４８】
以上説明したように本実施の形態５の冷蔵ショーケースは、水平方向に伸びる梁１８ｄを複数の流出孔１１ｄ間の中央部が流出孔１１ｄ下端より高くなるように傾斜させて形成しているので、ケ−ス本体６の水平設置時および上方を庫外側への傾斜設置は言うまでもなく、上方を前後方向に傾斜して設置された場合でも空間１９ｂ内に結露水Ｗが溜まらないようにしたので、フレ−ム１１の温度低下が少なくなり発汗を抑えることができる。
【００４９】
（実施の形態６）
図８は、本発明の実施の形態６による冷蔵ショーケースの要部斜視図である。
【００５０】
図８において、フレ−ム１１の庫内側外壁面に位置し、流出孔１１ｄの下部の位置に流出孔１１ｄ下端より下方に向って傾斜した複数の案内路２０を形成している。
【００５１】
本実施の形態は、実施の形態５による冷蔵ショーケースに、さらにフレ−ム１１の庫内側外壁面に位置し、流出孔１１ｄの下部の位置に流出孔１１ｄ下端より下方に向って傾斜した複数の案内路２０を形成したものである。
【００５２】
以上のように構成された冷蔵ショーケースにおいて、流出孔１１ｄより流出した結露水Ｗは案内路２０の傾斜に沿って案内路２０上を通り、庫内ドレンパン１６に流下して排水処理される。
したがって、結露水Ｗが流出孔１１ｄから流れ出て、フレ−ム１１の下部を伝うことがないため、フレーム１１の下方が冷却されることがなくなり、フレ−ム１１の温度低下が少なくなり発汗を抑えることができる。
【００５３】
以上説明したように本実施の形態６の冷蔵ショーケースは、フレ−ム１１の庫内側外壁面に位置し、流出孔１１ｄの下部の位置に流出孔１１ｄ下端より下方に向って傾斜した複数の案内路２０を形成しているので流出孔１１ｄより流出された結露水Ｗはフレ−ム１１の壁面を伝うことなく案内路２０を通り庫内へ流出されるためフレ−ム１１下方が結露水により冷却されないようにしたので、発汗を抑えることができる。
【００５４】
（実施の形態７）
図９は、本発明の実施の形態７による冷蔵ショーケースの要部斜視図である。
【００５５】
図９において、案内路２０両端に位置し案内路２０より隆起する案内壁２１を形成している。
【００５６】
本実施の形態は、実施の形態６による冷蔵ショーケースに、さらに案内路２０両端に案内路２０より隆起する案内壁２１を形成したものである。
【００５７】
以上のように構成された冷蔵ショーケースにおいて、流出孔１１ｄより流出した結露水Ｗは案内路２０の傾斜に沿って案内路２０上を通り、庫内ドレンパン１６に流下して排水処理される。
したがって、案内壁２１により結露水Ｗが案内路２０より零れ落ちることがなくなるため、結露水Ｗによりフレ−ム１１の下方が冷却されることがなくなり、フレ−ム１１の温度低下が少なくなり発汗を抑えることができる。
【００５８】
以上説明したように本実施の形態７の冷蔵ショーケースは、案内路２０両端に案内路２０より隆起する案内壁２１を形成しているので、ケ−ス本体６の水平設置時は言うまでもなく傾斜して設置された場合でも、案内壁２１により結露水Ｗが案内されることにより案内路２０の途中で結露水Ｗが零れ落ちないようにしたので、結露水Ｗによりフレ−ム１１の下方が冷却されることがなくなり、フレ−ム１１の温度低下が少なくなり発汗を抑えることができる。
【００５９】
【発明の効果】
以上説明したように請求項１記載の発明は、ガラス側板を下方で支持するフレ−ムを中空状とし、前記フレ−ムの上面の受水部の底面に結露水を流入させる流入孔を形成し、庫内側壁面の商品陳列棚より下方に結露水を流出させる流出孔を形成したので、ガラス側板に結露した結露水はガラス面を伝わってフレ−ムの受水部に流れ込み、前記フレ−ムの上面に形成した流入孔よりフレ−ム内部に流入し、商品陳列棚より下方に形成した流出孔より庫内へ流出されることから商品収納スペ−スを狭くすることなく結露水の流れを隠すことができる。また、フレ−ムの高さ寸法は自由に設定できることからデザインの自由度が向上するとともにガラス側板の小型化が行え低コスト化が図れる。
【００６０】
請求項２に記載の発明は、請求項１に記載の発明にさらに、受水部に全長に渡って凹部を設けたので、凹部によりフレ−ム上面の強度が向上しガラス側板という重量物を載せてもフレ−ム上面が変形したり、腰折れすることはなく組立精度、製品品質の向上が図れる。
【００６１】
請求項３に記載の発明は、請求項１または請求項２に記載の発明において、受水部の底面を流入孔に向かって下向きに傾斜させたので、受水部に流下した結露水は受水部に溜まらず流入孔よりフレーム内の中空部に流入し、受水部が経時的に汚れたり、不衛生になったりしにくい。
【００６２】
請求項４に記載の発明は、請求項１から請求項３のいずれか一項に記載の発明にさらに、フレーム内部に複数個の梁により空間を形成し、結露水がフレ−ムの庫外側内壁に接することなく空間を通って流出孔より流出するようにしたことにより、フレ−ムの庫内側と庫外側が結露水を介して伝熱されることがなくなり、フレ−ムの庫外側面の温度低下が少なくなることから、フレ−ムの庫外側面の発汗を抑えることができるとともに、梁によりフレ−ム全体の強度が向上する。
【００６３】
請求項５に記載の発明は、請求項４に記載の発明にさらに、フレーム内部に設けた梁を流出孔下端より上方に向って傾斜させているので、ケ−ス本体の水平設置時は言うまでもなく上方を庫外側に傾斜して設置された場合でも、結露水がフレ−ム内部に溜まることがなくなり、フレ−ムの温度低下が少なくなり発汗を抑えることができる。
【００６４】
請求項６に記載の発明は、請求項４または請求項５に記載の発明にさらに、フレーム内部に水平方向に高低差のある傾斜を有した梁を設け、流出孔下端に前記梁の低部が位置することにより、ケ−ス本体の水平設置時および庫外側への傾斜設置は言うまでもなく上方を前後方向に傾斜して設置された場合でも、結露水がフレ−ム内部に溜まることがなくなり、フレ−ムの温度低下が少なくなり発汗を抑えることができる。
【００６５】
請求項７に記載の発明は、請求項１から請求項５のいずれか一項に記載の発明にさらに、フレ−ムの庫内側外壁面に流出孔下端より下方に向って傾斜した複数の案内路を設けているので、流出孔より流出された結露水はフレ−ムの壁面を伝うことなく案内路を通り庫内ドレンパンへ流下されるためフレ−ム下方が結露水により冷却されることがなく発汗を防止できる。
【００６６】
請求項８に記載の発明は、請求項７に記載の発明にさらに、案内路両端に前記案内路より隆起する案内壁を設けているため、ケ−ス本体の水平設置時は言うまでもなく傾斜して設置された場合でも案内路の途中で結露水が零れ落ちることはなく結露水によりフレ−ムの下方が冷却されることがなくなり、フレ−ムの温度低下が少なくなり発汗を抑えることができる。
【図面の簡単な説明】
【図１】本発明による冷蔵ショーケースの実施の形態１の要部斜視図
【図２】同実施の形態１の冷蔵ショーケースの要部断面図
【図３】同実施の形態１の冷蔵ショーケースの斜視図
【図４】本発明による冷蔵ショーケースの実施の形態２の要部斜視図
【図５】本発明による冷蔵ショーケースの実施の形態３の要部斜視図
【図６】本発明による冷蔵ショーケースの実施の形態４の要部斜視図
【図７】本発明による冷蔵ショーケースの実施の形態５の要部側面図
【図８】本発明による冷蔵ショーケースの実施の形態６の要部斜視図
【図９】本発明による冷蔵ショーケースの実施の形態７の要部斜視図
【図１０】従来の冷蔵ショーケースの要部斜視図
【符号の説明】
８　ガラス側板
１１　フレ−ム
１１ａ　フランジ
１１ｂ　フランジ
１１ｃ　流入孔
１１ｄ　流出孔
１１ｅ　中空部
１２　受水部
１３　受け部材
１４　流路
１７　凹部
１８ａ　梁
１８ｂ　梁
１８ｃ　梁
１８ｄ　梁
１９ａ　空間
１９ｂ　空間
２０　案内路
２１　案内壁
【図１】
2004000372.tif 000003
【図２】
2004000372.tif 000004
【図３】
2004000372.tif 000005
【図４】
2004000372.tif 000006
【図５】
2004000372.tif 000007
【図６】
2004000372.tif 000008
【図７】
2004000372.tif 000009
【図８】
2004000372.tif 000010
【図９】
2004000372.tif 000011
【図１０】
2004000372.tif 000012